【事件の表示】
　平成　１年特許願第２３３８６３号「来客報知器」拒絶査定に対する審判事件［平成　３年　４月２３日出願公開、特開平　３−　９７０９９］について、次のとおり審決する。
【結　論】
　本件審判の請求は、成り立たない。
【理　由】
【手続の経緯・本件出願に係る発明】
　本件出願は、平成１年９月９日の出願であって、その請求項１〜請求項５に係る発明は、平成１１年３月１５日付け手続補正書により補正されたそれぞれその特許請求の範囲の請求項１〜請求項５に記載された下記のとおりのものと認める。
「（１）　人体の移動方向を検出して来客の出入りを判別するセンサ部と、このセンサ部の出力によって来客の出入りに応じたメッセージを発する音声部とを一体に備えた来客報知器において、任意のメッセージを記憶する書き換え自在なメモリと、ユーザがマイクで入力するメッセージを上記メモリに記憶すると共に、センサ部の出力に応じてメモリに記憶したメッセージを読み出して出力する録音再生手段とを音声部が備えて成る来客報知器。
　（２）　メーカサイドで既定したメッセージを記憶する読み出し専用のメモリと、上記ユーザにより入力されたメッセージとメーカにより入力されたメッセージとのいずれを出力させるかを選択するメッセージ選択手段とを音声部が備えて成る請求項１記載の来客報知器。
　（３）上記ユーザサイドで入力するメッセージを来客の出入り毎に録音可能として成る請求項１記載の来客報知器。
　（４）上記ユーザサイドで入力されるメッセージを任意の時に出力させる随時再生手段を設けて成る請求項１記載の来客報知器。
　（５）上記ユーザによりメッセージを入力する毎にメモリの内容を更新させて成る請求項１記載の来客報知器。」
【引用例】
　これに対し、原査定の拒絶の理由において引用された実願昭５７−１１９８３号（実開昭５８−１１７５８５号）のマイクロフィルム（以下、「引用例１」という。）には、
「　本考案は来客報知器に関するものである。第１図は１つの投光素子、２つの受光素子からなる反射光ビームによる被検知体の移動方向を検知識別する方向検知手段Ａの回路構成図を示しており、図中(1)は投光部で、発振回路(3)の周期で断続的に作動する発光素子(2)の駆動回路(4)と、変調された発光素子(2)の変調光を前方へ投光するための半放物面反射鏡(5)とから構成される。(6),(7)は投光部(1)からの光が反射された反射光を受光素子(8),(9)で受光して得られた受光信号を処理する信号処理回路であつて、発光素子(2)より投光される光の周期と同調させた同調増幅回路(10)、検波回路(11)、ローパスフイルター(12)、ローパスアンプ(13)、変化分検出回路(14a),(14b)より構成され、受光素子(8),(9)に入光する反射光は凸レンズ(15),(16)を介して夫々受光するようになつており、これらの光学系は投光部(1)の光学系の両側に配置される。(17)は受光素子(8),(9)の受光順序を判別する移動方向判別回路であつて、例えば微分形位相検出回路(18)、同相検出回路(19)、ゲート(20),(21)、単安定マルチ(22),(23)などより構成され、受光素子(8)，(9)の受光順序を検出する。
　ところで第１図回路のような方向検知手段Ａを用いて来客報知を行なう装置としては従来第２図に示すような回路構成の装置があつた。この図示せる回路は第１図回路の出力端Ｏａ，Ｏｂに接続する音声トリガ入力発生回路(24)、音声内容と検知方向とを一致させるための検知方向切替スイツチ部(25)、音声合成ＩＣ回路(26)、フイルタ(30)、増幅回路(27)、スピーカ(28)、動作表示灯駆動回路(29)、表示ランプＬＥＤ等から構成されているものである。
　次にこの回路と第１図回路との結合した動作を説明する。
　今、第１図においてＸ方向から被検知体が移動してきたとすると、被検知体が検知領域内に入ればまず受光素子(8)に反射光が入力して、その受光レベルに変化が生じ、変化分検出回路(14a)に検出信号が生じる。そして次いで受光素子(９)にも反射光が入力してその受光レベルに変化が生じ、変化分検出回路(14b)に検出信号が生じる。この検出信号の発生順位は移動方向判別回路(17)で判別され、Ｘ方向からの被検知物体の移動に対応した信号αが出力端Ｏａより出力される。この信号αは音声トリガ入力発生回路(24)の入力端Ｉａに入力し、アンドゲートＡ１を介して検知方向切替スイツチ部(25)の第１切替スイツチＳＷ１の第１接点Ｓ１ａに入力する。この第１切替スイツチＳＷ１の第１接点Ｓ１ａには第２切替スイツチＳＷ１の第２接点Ｓ１ｂが接続されており、この第２接点Ｓ２ｂに投入されている切替接点Ｓ２ｃを介して音声合成ＩＣ回路(26)の第２トリガ入力端Ｔｂに入力する。音声合成ＩＣ回路（２６）は「ありがとうございました」と、「いらつしやいませ」という内容の音声合成データを記憶しており、例えば第１トリガ入力端Ｔａに信号が入力すれば音声出力端ＶｏよりＤ／Ａ変換された「いらつしやいませ」の内容を有する音声信号を出力し、また第２トリガ入力端Ｔｂに信号が入力すれば「ありがとうございました」の内容を有する音声信号を出力するようになつている。しかして上述のように第２トリガ入力端Ｔｂに信号が入力すると、音声合成ＩＣ回路(26)は「ありがとうございました」の内容を有する音声信号を出力し、この信号は増幅回路(27)で増幅され、スピーカ(28)を駆動し、「ありがとうございました」と放送するのである。逆に第１図回路でＹ方向から移動してきた被検知体が検知されると信号βが移動方向判別回路(17)の出力端Ｏｂより出力し、この信号βはアンドゲートＡ２、検知方向切替スイツチ部(25)の第２切替スイツチＳＷ２の第１接点Ｓ２ａと第１切替スイツチＳＷ１の第２接点Ｓ２ｂと、この第２接点Ｓ２ｂに投入されている切替接点Ｓ２ｃとを介して音声合成ＩＣ回路(26)の第１トリガ入力端Ｔａに入力し、音声合成ＩＣ回路(26)より「いらつしやいませ」の音声信号を発生せしめる。
　即ち第１図で示したＸ方向は例えば商店の来客報知器として用いた場合、入口から店内方向を示し、Ｙ方向は逆に店内から出口方向を示し、夫々の客の流れに応じた内容の放送が行なえるわけである。」（その明細書の第２頁第１行目〜第５頁第1９行目）
との記載が、図面第１図及び第２図とともに記載されている。
　また、同様に引用された特開昭６３−２００２００号公報（以下、「引用例２」という。）には、
「音声データ記憶用ＲＡＭ(5)には、音声データ入力用マイク(6)から所望の音声データが入力されている。音声データとしては例えば店舗店頭での客招へいの場合の「いらつしゃいませ」、「どうぞお入り下さい」、工事現場での注意用として「危険ですから立入らないで下さい」等、その他目的に応じた音声データがマイク(6)から入力される。」（その公報の第２頁右下欄第５〜１１行目）
「しかして、物体感知センサ(3)が人、車輌等の接近する物体を感知するとＨｉレベルの出力信号を出し、その出力信号が増幅器(15)により増幅され切換スイッチ(7)、インターフェース(11)を介してタイミング制御回路(10)に入力される。この制御回路(10)では音声分析合成回路(9)と、インターフェース(13)を介してＲＡＭ(5)に制御信号を出力し、ＲＡＭ(5)に記憶された音声データがインターフェース(13)を介して音声分析合成回路(9)に出力され、さらにこの出力信号がインターフェース(14)を介して増幅器(16)に入力されて増幅され、スピーカ(8)により所定時間くり返し発声出力される。」（その公報の第３頁左上欄第６〜１８行目）
「さらに、ＲＡＭ(5)に記憶させた音声データの内容を変更したい場合は、切換スイッチ(7)を手動により音声データ入力側に入れ、マイク(6)から新たな音声データを入力する。この音声データは上述した如くＲＡＭ(5)に入力されて記憶されると共に、既に記憶されていた前の古い音声データが消去される。すなわち新たな音声データが古い音声データに代わってＲＡＭ(5)に記憶される。」（その公報の第３頁右上欄第１〜８行目）
との記載が、図面第２図とともに記載されている。
【対比・判断】
　そこで、まず本件出願の請求項１に係る発明（前者）と上記引用例１に記載の発明（後者）とを対比すると、前者における「センサ部」並びに「音声部」は、後者における「方向検知手段Ａ」並びに「音声合成ＩＣ回路（２６）」「フイルタ（３０）」、「増幅器（２７）」及び「スピーカ（２８）」を併せたものにそれぞれ相当するから、両者は、結局、
「人体の移動方向を検出して来客の出入りを判別するセンサ部と、このセンサ部の出力によって来客の出入りに応じたメッセージを発する音声部とを一体に備えた来客報知器において、メッセージを記憶するメモリと、センサ部の出力に応じてメモリに記憶したメッセージを読み出して出力する手段とを音声部が備えて成る来客報知器。」
である点で一致し、下記ａ及びｂの点で相違している。
ａ、前者における「メモリ」が、「任意のメッセージを記憶する書き換え自在な」構成を有しているのに対し、後者のそれは、そのような構成を有していない。
ｂ、前者における録音再生手段が、「ユーザがマイクで入力するメッセージを上記メモリに記憶すると共に」、それを「再生」する構成を有しているのに対し、後者は、そのような構成を有していない。
　そこで、上記相違点について検討する。
　上記引用例２には、上述のごとく、音声データ記憶用ＲＡＭ(５)と、ユーザが音声データ入力用マイク（６）から所望の音声データを上記音声データ記憶用ＲＡＭ(５)に入力するとともに、物体感知手段（３）の出力に応じて音声データ記憶用ＲＡＭ(５)に記憶された上記所望の音声データをスピーカ（８）から出力する技術事項が記載されている。
　そして、引用例２に記載の「音声データ記憶用ＲＡＭ(５)」は、前者における「メモリ」に相当するから、後者に対し、その音声部に備えられたメモリに代えて、引用例２記載の任意のメッセージを記憶する書き換え自在なメモリを採用するとともに、そのメモリに記憶された任意のメッセージを再生する変更を加える程度のことは、当業者が、必要に応じて容易に想到できたものである。
　なお、上記引用例２には、上述のごとく、本件出願の請求項５に係る発明におけると同様な「さらに、ＲＡＭ（５）に記憶された音声データの内容を変更したい場合は、切換スイッチ（７）を手動により音声データ入力側に入れ、マイク（６）から新たな音声データを入力する。この音声データは上述した如くＲＡＭ（５）に入力されて記憶されると共に、既に記憶されていた前の古い音声データが消去される。すなわち新たな音声データが古い音声データに代わってＲＡＭ（５）に記憶される。」（その公報の第３頁右上欄第１〜８行目）との記載もある。
【むすび】
　以上のとおりであるから、前者は、後者及び引用例２に記載の発明に基づいて、当業者が容易に発明をすることができたものであるから、請求項２〜請求項５に係る各発明について検討するまでもなく、本件出願の請求項１に係る発明は、特許法第２９条第２項の規定により、特許を受けることができないものである。
　よって、結論のとおり審決する。